(57)【要約】      （修正有）【課題】各使用状況において、最適な照明効果を発揮できるＬＥＤ照明装置を提供する。【解決手段】ＬＥＤ照明装置は、スタンド１０、スタンド１０上に設置し、送風アセンブリを備えるベース３０、複数のＬＥＤ発光板を備える照明アセンブリ４０を備え、複数のＬＥＤ発光板はベース３０上に環状に配列して設置し、これにより四方へと照明を発し、送風アセンブリの出風口は各ＬＥＤ発光板の背面部下方に位置し、上向きに、ＬＥＤ発光板の背面部へと送風する。【選択図】図１
0003177650.tif 000002
【実用新案登録請求の範囲】
【請求項１】
LED照明装置は、スタンド、ベース、照明アセンブリを備え、前記ベースは、前記スタンド上に設置し、送風アセンブリを備え、前記照明アセンブリは、複数のLED発光板を備え、
前記複数のLED発光板は、前記ベース上に環状に配列して設置し、これにより四方へと照明を発光し、前記送風アセンブリの出風口は、前記各LED発光板の背面部下方に位置し、上向きに、前記LED発光板の背面部へと送風し、強制的に散熱させることができることを特徴とするLED照明装置。
【請求項２】
前記照明アセンブリはさらに、前記ベース上に設置する固定ハウジングを備え、前記複数のLED発光板は、前記固定ハウジング上に設置することを特徴とする請求項１に記載のLED照明装置。
【請求項３】
前記照明アセンブリはさらに、上、下に重ねて、前記ベース上に設置する複数組の固定ハウジングを備え、最下方に位置する前記固定ハウジング底端と前記ベースは接続し、
前記複数のLED発光板は、前記各固定ハウジング上に、それぞれ環状に設置することを特徴とする請求項１に記載のLED照明装置。
【請求項４】
前記各LED発光板底端両側には、それぞれ可動接続部を備え、前記固定ハウジングに可動状に設置し、これにより、前記LED発光板は、前記可動接続部を軸心として、
前記固定ハウジングに相対して外側或いは内側へ傾斜し、前記LED発光板の照射角度を調整することができることを特徴とする請求項２或いは３に記載のLED照明装置。
【請求項５】
前記各LED発光板前側には、力を加えるためのプルレバーをそれぞれ設置し、背面部には、連接片をそれぞれ設置し、前記各連接片の反対端は、スライド片に可動状に設置し、
前記固定ハウジング中心位置へと延伸し、前記各スライド片は、スライド槽をそれぞれ備え、しかも前記スライド槽は、前記固定ハウジング中央に設置する定位棒上に、それぞれ嵌めて設置し、
これにより、前記各LED発光板の角度を調整する時には、前記スライド片は、前記定位棒上において、それぞれ内向きまたは外向きにスライド移動することを特徴とする請求項４に記載のLED照明装置。
【請求項６】
前記定位棒の外部には、圧縮バネを嵌めて設置し、前記圧縮バネ底端は、前記各スライド片上を弾性により圧迫し、
これにより、前記スライド片は、スライドが停止した位置で定位されることを特徴とする請求項５に記載のLED照明装置。
【請求項７】
前記上、下に重ねる固定ハウジング間には、等距離に環状に配列する複数の位置合わせ孔を設置し、これにより、前記相互に重ねる固定ハウジングは、さまざまな方向に位置を合わせることができ、
また、複数のボルトアセンブリを、前記位置合わせ孔に通し、固定することができることを特徴とする請求項３に記載のLED照明装置。
【請求項８】
前記ベース内には、中空槽を備え、前記送風アセンブリの進風口は、前記中空槽に通じ、しかも、前記ベース底部には、フィルターを設置し、
これにより、空気は、前記フィルターを通過後に前記中空槽内に入り、前記送風アセンブリに吸引されることを特徴とする請求項１或いは請求項２或いは請求項３に記載のLED照明装置。
【請求項９】
前記送風アセンブリの出風口は、前記ベース上に設置する導流部に接続し、これにより、吹き出される空気は、前記ベース上に環状に設置される複数のLED発光板背面部へ向かい、
送風により冷卻することを特徴とする請求項８に記載のLED照明装置。
【請求項１０】
前記ベース上にはさらに、前記照明アセンブリの外周を覆うフェンスを設置することを特徴とする請求項１或いは請求項２或いは請求項３に記載のLED照明装置。
【考案の詳細な説明】
【技術分野】
【０００１】
本考案はLED照明装置に関し、複数の環状に配列するLED発光板を備えるLED照明装置に関する。
【背景技術】
【０００２】
近年、LEDを使った照明技術は成熟度を増している。LEDは、長寿命で、消費電力が低いなどの長所を備える他、高輝度LED(High-Power LED)が出力できるパワー(ワット数)、及び照度ルクス(lux)も向上しているため、LED照明はより幅広い応用がなされるようになっている。既に、街路灯、サーチライトなどのワット数の高い照明装置としての使用が広がっている。
【０００３】
しかし、高輝度LEDは、使用時に高熱を発する。そのため、たとえ応用範囲が広くとも、実際の応用においては、散熱の問題を克服しなければならない。特に、街路灯、サーチライトなどのワット数が高い照明装置の光源とする時には、散熱の設計は、先ず解決しなければならない重要な課題である。本考案は、従来のLED照明装置の上記した欠点に鑑みてなされたものである。
【考案の概要】
【考案が解決しようとする課題】
【０００４】
本考案が解決しようとする課題は、優れた散熱効果を備え、消費電力が低く、長寿命などのLEDの長所を生かし、照明装置としての応用範囲を広げることができるLED照明装置を提供することである。
【課題を解決するための手段】
【０００５】
上記課題を解決するため、本考案は下記のLED照明装置を提供する。LED照明装置は、スタンド、該スタンド上に設置し、送風アセンブリを備えるベース、複数のLED発光板を備える照明アセンブリを備え、該複数のLED発光板は、該ベース上に環状に配列し、これにより四方へと照明を発光し、該送風アセンブリの出風口は、各LED発光板の背面部下方に位置し、該LED発光板が四方へと照明を発光すると、該送風アセンブリの出風口は、上向きに、該LED発光板の背面部へと送風し、強制的に散熱させることができ、該スタンドにより、各種スポーツ及びイベント場所、広場、救難場所、夜間施工現場などの各種環境に応用でき、インジケーター、バックライトの光源としても運用することができる。
【０００６】
実施時には、該複数のLED発光板は、該上、下に重ねた複数組の固定ハウジング上に設置し、最下方に位置する該固定ハウジング底端と該ベースとは接続し、上方の固定ハウジングは、相対的に旋回させ調整でき、しかも、各固定ハウジング周囲にはみな、該複数のLED発光板を設置し、これにより、LED照明装置は、使用場所に応じて必要なワット数とルクス数を提供でき、しかも照射角度と方向を多様化することができる。
【０００７】
実施時には、各LED発光板底端両側には、それぞれ可動接続部を備え、該固定ハウジングに可動状に設置し、これにより、該LED発光板は、該可動接続部を軸心として、該固定ハウジングに相対して外側へ傾斜或いは内側へ収納に向かい、該固定ハウジング周囲で直立し、こうして該LED発光板の照射角度を調整することができ、本考案LED照明装置は、従来の技術に比べ、調整が容易で、散熱性に優れるなどの長所を備え、任意の場所に設置でき、各種スポーツ及びイベント場所、広場、救難場所、夜間施工現場などの各種環境に応用でき、さらに、インジケーター、バックライトの光源としても運用することができる。
【考案の効果】
【０００８】
本考案のLED照明装置は、優れた散熱効果を備える他、スタンドの展開により、照明装置は各種環境、地形において簡単に設置される。また、LED発光板の配置角度を調整し、複数の固定ハウジング間の位置合わせを調整することで、本考案の照明装置はより実用的となる。これにより、各種の使用状況において、最適な照明効果を発揮することができる。
【図面の簡単な説明】
【０００９】
【図１】本考案実施例の立体外観図である。
【図２】本考案実施例の立体分解図である。
【図３】本考案実施例のベースと照明アセンブリの断面図である。
【図４】本考案照明アセンブリの局部構造立体図である。
【図５】本考案において、LED発光板の角度を調整する様子を示す側視図(一)である。
【図６】本考案において、LED発光板の角度を調整する様子を示す側視図(二)である。
【図７】本考案において、LED発光板の角度を調整する様子を示す俯視図(一)である。
【図８】本考案において、LED発光板の角度を調整する様子を示す俯視図(二)である。
【図９】本考案実施例の照明アセンブリの外観図である。
【図１０】本考案実施例の固定ハウジングの立体外観図である。
【図１１】本考案実施例の照射方向を示す模式図(一)である。
【図１２】本考案実施例の照射方向を示す模式図(二)である。
【図１３】本考案実施例の照射方向を示す模式図(三)である。
【図１４】本考案実施例の照射方向を示す模式図(四)である。
【図１５】本考案実施例の照射方向を示す模式図(五)である。
【考案を実施するための形態】
【００１０】
本考案の技術内容、構造特徴、達成する目的を詳細に説明するため、以下に実施例を挙げ並びに図面を組み合わせて説明する。
【実施例】
【００１１】
本考案実施例の立体外観図、立体分解図である図１、２に示すように、本考案のLED照明装置は、スタンド１０、電源供給装置２０、ベース３０、照明アセンブリ４０、フェンス５０を備える。
【００１２】
スタンド１０底端は展開でき、任意の環境に簡単に設置することができる。実施時には、必要に応じて、高度調整器１１により、スタンド１０を上方へと延伸させ、高さを調整することができる。
【００１３】
電源供給装置２０は、スタンド１０上の比較的低い位置に設置し、電源供給の機能を備える他、スタンド１０に対して適当なウエイト効果を発揮することができる。これにより、スタンド１０はぐらつきにくくなり、設置時の安定性が向上する。
【００１４】
ベース３０は、スタンド１０の頂点端に設置し、その上方には、電源供給装置２０電気的に連接する送風アセンブリ３１を設置する。ベース３０上には、固定フレーム３２を設置する。
【００１５】
照明アセンブリ４０は、ベース３０上に設置し、固定フレーム３２により固定する。照明アセンブリ４０は、電源供給装置２０と電気的に連接する複数のLED発光板４１を備える。
【００１６】
複数のLED発光板４１は、それぞれ配列したLEDにより組成する。各LED発光板４１は、上、下に重なる１組、或いは複数組の固定ハウジング４２上に環状に設置する。本実施例では、上、下に重なる２組の固定ハウジング４２を設置する。最下方に位置する固定ハウジング４２底端と、ベース３０は連接し、これにより、LED照明装置は、さまざまな使用場所に応じて、１組、或いは多数組の固定ハウジング４２及びLED発光板４１を提供することができ、しかも、照射角度と方向を多様化することができる。実施時には、LED発光板４１上のLEDを保護するため、LED発光板４１外表面を、一層の保護層で覆うことができる。保護層は、天候不良時には、防水の機能をも兼ね備える。
【００１７】
フェンス５０は、ベース３０上に設置し、固定フレーム３２により固定し、並びに照明アセンブリ４０の外周を覆う。これにより、人が近寄り、照明アセンブリ４０に誤って接触することを防ぐ。実施時にはさらに、他の物品を固定、接続するために用いることができ、照明アセンブリ４０との間で、構造補強の接続を行うこともできる。
【００１８】
本考案実施例のベース３０、照明アセンブリ４０照明アセンブリ４０の断面図である図２、３に示すように、ベース３０内には、中空槽３３を備える。送風アセンブリ３１の進風口は、中空槽３３に通じる。しかも、ベース３０底部には、フィルター３４を設置し、これにより空気は、フィルター３４を通過後に中空槽３３内に入り、送風アセンブリ３１に吸引される。送風アセンブリ３１の出風口は、ベース３０上に設置する導流部３５に接続する。これにより、吹き出される空気は、照明アセンブリ４０の環状に設置される複数のLED発光板４１背面部へ向かい、送風により冷卻する。こうして、LED発光板４１は、良好な散熱効果を達成することができる。
【００１９】
図４〜６に示すように、LED発光板４１上のLEDは、配列式とし、その底端両側には、可動接続部４３を備え、固定ハウジング４２に可動状に設置する。これにより、LED発光板４１は、可動接続部４３を軸心として、固定ハウジング４２に相対して外側へと傾斜或いは内側へと収納され、固定ハウジング４２周囲において立てることができる。こうして、LED発光板４１の照射角度を調整することができる。
【００２０】
実施時には、各LED発光板４１前側には、プルレバー４４をそれぞれ設置し、背面部には、連接片４５をそれぞれ設置する。各連接片４５の反対端は、スライド片４６に可動状に設置し、固定ハウジング４２中心位置へと延伸する。各スライド片４６は、スライド槽４６１をそれぞれ備え、しかもスライド槽４６１は、固定ハウジング４２中央に設置する定位棒４７上に、それぞれ嵌めて設置する。これにより、各スライド片４６は、定位棒４７上において、内側または外側へとスライド移動する。
【００２１】
図５〜８に示すように、使用者が、あるLED発光板４１上のプルレバー４４を押すか引くかすると、LED発光板４１背面部の連接片４５を通して、スライド片３６は、定位棒４７上において内側或いは外側へとスライド移動する。これにより、LED発光板４１は、上記したように、可動接続部４３を軸心とし、固定ハウジング４２に相対して外へと傾斜或いは内側へと収納され、固定ハウジング４２周囲において直立する。  こうして、LED発光板４１の照射角度を調整することができ、照射角度多様化の効果を達成することができる。
【００２２】
この他、固定ハウジング４２中央に設置する定位棒４７の外部には、圧縮バネ４８を嵌めて設置する。圧縮バネ４８底端は、各スライド片４６上を弾性により圧迫する。あるLED発光板４１のスライド片４６が、定位棒４７上において適当な位置までスライドした後に停止すると、圧縮バネ４８の弾性圧迫により、スライド片４６は、スライドが停止した位置で定位される。こうして、LED発光板４１の定位後の揺れを防止する。本考案実施例の照明アセンブリ４０の外観図、固定ハウジング４２の立体外観図、及び照射方向の模式図である図９、１０、１１に示すように、固定ハウジング４２全体の外観は中空の筒状である。相互に重ねる固定ハウジング４２間には、等距離に環状に配列する複数の位置合わせ孔４２１を設置する。これにより、固定ハウジング４２は、さまざまな方向に位置を合わせることができる。また、複数のボルトアセンブリ４２２を、位置合わせ孔４２１に通し、固定することができる。
【００２３】
本実施例は、固定ハウジング４２間の位置合わせ関係の回転調整を通して、上層の固定ハウジング４２のLED発光板４１と、下層の固定ハウジング４２に固定するLED発光板４１を、位置をずらして配列し、これにより各LED発光板４１は、均一に環状に配列する形状を呈する。こうして、照明アセンブリ４０は、均一な照射光を発光することができる。
【００２４】
本考案実施例の照明アセンブリ４０の外観図、照射方向模式図である図１２、１３に示すように、固定ハウジング４２間の位置あわせ関係の回転調整を通して、上層の固定ハウジング４２に固定するLED発光板４１と、下層の固定ハウジング４２に固定するLED発光板４１の重ね配列を行う時には、上、下層LED発光板４１の光源は、特定の角度に集中して発光される。これにより、照明アセンブリ４０は、集中した照射光を発光することができる。
【００２５】
図１４に示すように、照明アセンブリ４０のLED発光板４１は、傾斜設置する以外に、上記したように、照射角度を調整する方式により、すべてのLED発光板４１を、垂直に直立する角度に配置することができる。これにより、光線は水平角度により遠方まで照射され、固定ハウジング４２上に環状に設置する複数のLED発光板４１が発光すると、四方八方へと同時に照明を提供することができる。
【００２６】
図１５に示すように、上、下に重ねる固定ハウジング４２上の複数のLED発光板４１を、異なる傾斜角度に調整したとする。例えば、図示のように、下層の複数のLED発光板４１を垂直に配置し、上層の複数のLED発光板４１を、下方へと角度をつけて傾斜して配置する。こうすると、光線は、下層のLED発光板４１から水平角度で遠方まで照射される他、下方へと傾斜した上層の複数のLED発光板４１は、LED照明装置周囲の明るさを強化することができる。
【００２７】
上記したように、本考案は優れた散熱効果を備える他、スタンド１０の展開により、照明装置は各種環境、地形において簡単に設置できる。また、LED発光板４１の配置角度を調整し、複数の固定ハウジング４２間の位置を調整することで、本考案の照明装置はより実用的となる。これにより、各種の使用状況において、最適な照明効果を発揮することができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２９】
１０    スタンド
１１    高度調整器
２０    電源供給装置
３０    ベース
３１    送風アセンブリ
３２    固定フレーム
３３    中空槽
３４    フィルター
３５    導流部
４０    照明アセンブリ
４１    LED発光板
４２    固定ハウジング
４２１  位置合わせ孔
４２２  ボルトアセンブリ
４３    可動接続部
４４    プルレバー
４５    連接片
４６    スライド片
４６１  スライド槽
４７    定位棒
４８    圧縮バネ
５０    フェンス
【図１】
0003177650.tif 000003
【図２】
0003177650.tif 000004
【図３】
0003177650.tif 000005
【図４】
0003177650.tif 000006
【図５】
0003177650.tif 000007
【図６】
0003177650.tif 000008
【図７】
0003177650.tif 000009
【図８】
0003177650.tif 000010
【図９】
0003177650.tif 000011
【図１０】
0003177650.tif 000012
【図１１】
0003177650.tif 000013
【図１２】
0003177650.tif 000014
【図１３】
0003177650.tif 000015
【図１４】
0003177650.tif 000016
【図１５】
0003177650.tif 000017